(57)【要約】【課題】ライブのトラフィック状況およびＷＴＲＵのモビリティは、システム性能、ＷＴＲＵ性能、およびＷＴＲＵ省力化のバランスをとるために、ＤＲＸサイクル長の頻繁な調整を必要とし得る。しかし、ＷＴＲＵ／Ｅ−ＵＴＲＡＮシグナリングのみに依拠してＤＲＸサイクルの微調整を行うことは、重いシステムおよびＷＴＲＵのシグナリングの負荷を招き得る。【解決手段】無線送受信ユニットにおいて不連続受信を制御するための方法は、複数のＤＲＸレベルを定義することであって、各ＤＲＸレベルがそれぞれのＤＲＸサイクル長を含むことと、１組の基準に基づいて、ＤＲＸレベル間を移行することとを含む。この移行は、黙示的なルールによってトリガすることができる。【選択図】図３
2014079027.tif 000002
【特許請求の範囲】
【請求項１】
無線送受信ユニット（ＷＴＲＵ）において不連続受信（ＤＲＸ）を制御する方法において、
前記ＷＴＲＵが、複数のＤＲＸレベルを定義しているＤＲＸ構成を受信するステップであって、前記複数のＤＲＸレベルの各々はそれぞれのＤＲＸサイクル長を含んでいる、受信するステップと、
前記ＷＴＲＵが、前記複数のＤＲＸレベルの第１のＤＲＸレベルで動作するステップと、
前記ＷＴＲＵが、ＷＴＲＵタイマが満了したことを決定するステップと、
前記ＷＴＲＵが、前記第１のＤＲＸレベルから第２のＤＲＸレベルへ移行する明示的なシグナリングを受信することなしに、少なくとも１つの黙示的な移行トリガに基づいて、前記第１のＤＲＸレベルから前記複数のＤＲＸレベルの前記第２のＤＲＸレベルに移行するステップであって、前記少なくとも１つの黙示的な移行トリガは、前記ＷＴＲＵによって検出されたイベントに基づいており、前記ＷＴＲＵによって検出されたイベントは前記ＷＴＲＵタイマの満了であって、前記第２のＤＲＸレベルは、前記第１のＤＲＸレベルの第１のＤＲＸサイクル長の倍数である第２のＤＲＸサイクル長を含む、移行するステップと
を備えることを特徴とする方法。
【請求項２】
前記ＷＴＲＵタイマは、基地局タイマと同期していることを特徴とする請求項１に記載の方法。
【請求項３】
前記ＷＴＲＵタイマに対する値は、ｅノードＢ（ｅＮＢ）から前記ＷＴＲＵへ送られることを特徴とする請求項１に記載の方法。
【発明の詳細な説明】
【背景技術】
【０００１】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）プログラムの目標は、スペクトル効率を改善し、待ち時間を短縮し、無線リソースをよりよく使用して、より低コストでより高速のユーザ体験ならびにより豊かなアプリケーションおよびサービスをユーザにもたらすために、無線通信システムにおける設定および構成のための新しい技術、新しいアーキテクチャ、および新しい方法を開発することである。
【０００２】
一般的ＬＴＥネットワークにおいて、無線送受信ユニット（ＷＴＲＵ）は、いくつかのモードで動作することができる。ＬＴＥ＿ＡＣＴＩＶＥモードの間、ＷＴＲＵは、不連続受信（ｄｉｓｃｏｎｔｉｎｕｏｕｓ  ｒｅｃｅｐｔｉｏｎ：ＤＲＸ）モードで動作することができる。ＤＲＸモードによって、ＷＴＲＵは、バッテリ消費を低減するために、プリセットされた時間の間、低パワーまたはスリープモードで動作し、次いで、プリセットされた別の時間の間、フルパワーまたはアウェイクモードに切り替わることができる。ＤＲＸサイクル長は、一般に、ｅｎｈａｎｃｅｄ  Ｎｏｄｅ  Ｂ（ｅＮＢ）およびＷＴＲＵが一貫したスリープおよびウェイクアップサイクルに同期されるように、Ｅ−ＵＴＲＡＮ（ｅｎｈａｎｃｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）によって構成される。
【発明の概要】
【発明が解決しようとする課題】
【０００３】
ライブのトラフィック状況およびＷＴＲＵのモビリティは、システム性能、ＷＴＲＵ性能、およびＷＴＲＵ省力化のバランスをとるために、ＤＲＸサイクル長の頻繁な調整を必要とし得る。しかし、ＷＴＲＵ／Ｅ−ＵＴＲＡＮシグナリングのみに依拠してＤＲＸサイクルの微調整を行うことは、重いシステムおよびＷＴＲＵのシグナリングの負荷を招き得る。
【０００４】
ＤＲＸサイクル長の調整の黙示的なルールを、システムまたはＷＴＲＵの性能問題に影響を与えないようにしながら、円滑なＬＴＥ＿ＡＣＴＩＶＥ  ＤＲＸ動作のために使用してバッテリ消費電力を低減することができる。黙示的なルールは、過度の明示のシグナリングを使用することなく、ＷＴＲＵとＥ−ＵＴＲＡＮとの間の黙示的なＤＲＸサイクル長の移行を支援することができる。
【課題を解決するための手段】
【０００５】
ＷＴＲＵにおける不連続受信を制御するための方法および装置が開示される。この方法は、複数のＤＲＸレベルを定義することであって、各ＤＲＸレベルがそれぞれのＤＲＸサイクル長を含むことと、１組の基準に基づいて、ＤＲＸレベル間を移行することとを含むことができる。移行は、黙示的なルールによってトリガすることができる。トリガは、例えば測定イベント、タイマ、カウンタまたはダウンリンクコマンドによって呼び出すことができる。ＤＲＸ状態間の移行は、明示のシグナリングなしに生じ得る。
【０００６】
例として与えられ、添付の図面と併せて理解されるべき以下の説明からより詳しい理解を得ることができる。    
【発明の効果】
【０００７】
以上説明したように、本発明により、ＤＲＸサイクル長の調整の黙示的なルールを、システムまたはＷＴＲＵの性能問題に影響を与えないようにしながら、円滑なＬＴＥ＿ＡＣＴＩＶＥ  ＤＲＸ動作のために使用してバッテリ消費電力を低減することができる。
【図面の簡単な説明】
【０００８】
【図１】一実施形態による無線通信システムを示す図である。
【図２】一実施形態によるＷＴＲＵおよびｅＮｏｄｅＢ（ｅＮＢ）の機能ブロック図である。
【図３】一実施形態による黙示的なＤＲＸの移行を示す状態図である。
【図４】一実施形態による黙示的なＤＲＸの移行を示すシグナルフロー図である。
【図５】一実施形態による黙示的なＤＲＸのシグナリングの方法を示すフロー図である。
【図６】別の実施形態による黙示的なＤＲＸのシグナリングの方法を示すフロー図である。
【図７】代替の実施形態による黙示的なＤＲＸのシグナリングの方法を示すフロー図である。
【図８】別の代替の実施形態による黙示的なＤＲＸのシグナリングの方法を示すフロー図である。
【発明を実施するための形態】
【０００９】
以下で言及するとき、「無線送受信ユニット（ＷＴＲＵ）」という用語は、これらに限定されないが、ユーザ機器（ＵＥ）、移動局、固定式または移動式の加入者ユニット、ページャ、セルラー式電話、携帯情報端末（ＰＤＡ）、コンピュータ、または無線環境で動作することができる他の任意のタイプのユーザデバイスを含む。以下で言及するとき、「基地局」という用語は、これらに限定されないが、Ｎｏｄｅ−Ｂ、サイトコントローラ、アクセスポイント（ＡＰ）、または無線環境で動作することができる他の任意のタイプのインターフェースデバイスを含む。
【００１０】
図１は、一実施形態による無線通信システム１００を示している。システム１００は、複数のＷＴＲＵ１１０およびｅＮＢ１２０を含む。図１に示されるように、ＷＴＲＵ１１０は、ｅＮＢ１２０と通信する。図１には３つのＷＴＲＵ１１０および１つのｅＮＢ１２０が示されているが、任意の組合せの無線デバイスおよび有線デバイスが無線通信システム１００に含まれ得ることに留意されたい。ｅＮＢ１２０およびＷＴＲＵ１１０は、ＤＲＸモードにある間、通信することができ、ＤＲＸサイクルを協調しておくことができる。
【００１１】
図２は、図１の無線通信システム１００のＷＴＲＵ１１０およびｅＮＢ１２０の機能ブロック図２００である。図１に示されるように、ＷＴＲＵ１１０は、ｅＮＢ１２０と通信している。ＷＴＲＵ１１０およびｅＮＢ１２０の両方がＤＲＸモードで動作することができる。
【００１２】
代表的なＷＴＲＵにおいて見つけることができるコンポーネントに加えて、ＷＴＲＵ１１０は、プロセッサ２１５、受信機２１６、送信機２１７、およびアンテナ２１８を含む。プロセッサ２１５は、必要に応じてＤＲＸサイクル長を調整するように構成することができる。受信機２１６および送信機２１７は、プロセッサ２１５と通信している。アンテナ２１８は、受信機２１６および送信機２１７の両方と通信して、無線データの送信および受信を容易にする。
【００１３】
代表的なｅＮＢ１２０において見つけることができるコンポーネントに加えて、ｅＮＢ１２０は、プロセッサ２２５、受信機２２６、送信機２２７、およびアンテナ２２８を含む。プロセッサ２２５は、受信機２２６および送信機２２７と通信して、必要に応じてＤＲＸサイクルを調整するように構成されている。受信機２２６および送信機２２７は、プロセッサ２２５と通信している。アンテナ２２８は、受信機２２６および送信機２２７の両方と通信して、無線データの送信および受信を容易にする。
【００１４】
バッテリ寿命を改善するが、ｅＮＢ１２０およびＷＴＲＵ１１０の性能を制限しないようにするために、ＤＲＸサイクル長の状態間の移行を、明示的ではなく、黙示的に定義することができる。黙示的なルールは、ＷＴＲＵ１１０がＬＴＥ＿ＡＣＴＩＶＥ  ＤＲＸ状態にある間、無線リソース制御（ＲＲＣ）および媒体アクセス制御（ＭＡＣ）レベルで実装することができる。
【００１５】
ＷＴＲＵ１１０がＬＴＥ＿ＡＣＴＩＶＥ  ＤＲＸモードにある間、ＷＴＲＵ１１０からｅＮＢ１２０へのインタラクションのおおよそ半分は、ＷＴＲＵ１１０の要求および報告、ならびにｅＮＢ１２０の応答を伴う。ＷＴＲＵ１１０が特定のシナリオを測定すると、測定イベントをｅＮＢ１２０に報告することがあり、ｅＮＢ１２０は、ＷＴＲＵ１１０に新しいサービス、モビリティーアクティビティなどを開始するようコマンドすることによって、その状況に応答することができる。ダウンリンクコマンドの送信または受信が比較的長いＤＲＸサイクル長によって制限される場合、ＬＴＥ＿ＡＣＴＩＶＥ  ＤＲＸモードの間のＷＴＲＵ１１０およびｅＮＢ１２０のシステム性能が害され得る。しかし、いくつかの測定イベントにより、予想されるネットワークダウンリンクコマンドについての良好な候補を成すことができる。
【００１６】
図３は、一実施形態による黙示的なＤＲＸ移行のステートマシン３００を示している。ステートマシン３００、ならびに関連する移行メカニズムおよびパラメータ値は、ｅＮＢ（図１の１２０）によって構成することができる。ステートマシン３００は、寿命を有することができ、これもｅＮＢ１２０によって構成される。各状態は、動作が一貫し、同期されるように、ＷＴＲＵ（図１の１１０）およびｅＮＢ１２０において適用することができる。定義され構成されたＤＲＸの各状態において、異なるＤＲＸサイクル長がＷＴＲＵ１１０およびｅＮＢ１２０の動作の両方に関連付けられる。
【００１７】
ＤＲＸサイクル長移行ルールは、ＷＴＲＵ１１０およびｅＮＢ１２０の経験に基づくことができる。ある経過時間または所与の１組の測定値が与えられると、ＷＴＲＵ１１０およびｅＮＢ１２０は、トラフィックパターンを学習し、予測することができる。学習され、予測されたこれらのトラフィックパターンは、ステートマシンについての一般モデルに重畳され、その結果、ＷＴＲＵ１１０およびｅＮＢ１２０の両方について黙示的な移行動作および一貫したＤＲＸアクションを許容するＷＴＲＵ１１０／ｅＮＢ１２０システムのためのＤＲＸステートマシン３００をもたらす。ｅＮＢ１２０は、継続的改善の潜在性および呼出しごとに学習されるトラフィックパターンにより、サービスおよび移動性の条件についてＤＲＸ状態を規定することができる。
【００１８】
図３は、３つの定義されたＤＲＸレベル３０２、３０４、３０６、および未定義のＤＲＸレベル３０８を示している。ＤＲＸレベル３  ３０６では、ＷＴＲＵ１１０は、通常のＤＲＸサイクルで動作している。通常の状態の実際の長さは、ｅＮＢ１２０によって定義することができる。ＤＲＸレベル２  ３０４は、ＤＲＸレベル３  ３０６より短いサイクル長であり、通常より頻繁なアクティビティに関連付けられる。ｅＮＢ１２０は、ＤＲＸレベル２  ３０４のサイクル長を定義することもでき、「再開」期間を設定することもできる。再開期間は、その間には新しい送信がなく、その後には、ＷＴＲＵ１１０が他のことを行うことをコマンドされない限り、ＷＴＲＵ１１０がＤＲＸレベル３  ３０６動作に戻ることができる時間の長さである。
【００１９】
ＤＲＸレベル１  ３０２は、最短のＤＲＸサイクル長を有しており、予測される即座のダウンリンクコマンドを扱うために、そして例えばハンドオーバーイベントの間など、アップリンクトラフィックパターンが、即座のダウンリンクアクションを要するものとして、ＷＴＲＵ１１０およびｅＮＢ１２０により認識されるときに、ＷＴＲＵ１１０またはｅＮＢ１２０によって使用することができる。
【００２０】
ＤＲＸレベルｎ３０８は、ＤＲＸレベル３  ３０６のものより長いＤＲＸサイクルで構成することができる。ｅＮＢ１２０は、ＤＲＸ構成寿命の終わりに、各状態についてＤＲＸサイクル長を再定義することができるが、より低いレベルのＤＲＸ状態がより短いＤＲＸ長を有するというＤＲＸサイクル長ルールに従うことができる。
【００２１】
ＤＲＸレベル３  ３０６でのＷＴＲＵ１１０については、ＷＴＲＵ１１０が定期的に「ビジー」サイクルに移行して、ダウンリンクデータをチェックすべきであるとｅＮＢ１２０が判定した場合、ＤＲＸレベル２  ３０４への移行をトリガするために、タイマまたはカウンタのトリガを定義することができる。これは、測定イベントに基づくトリガであると考えることができる。閾値より多い量のアップリンクデータを蓄積するある無線ベアラに関するトラフィックボリュームイベントが報告され、予想される無線ベアラ（ＲＢ）再構成コマンドが差し迫っているとき、ＷＴＲＵ１１０をＤＲＸレベル−３  ３０６からＤＲＸレベル１に移行するために、測定イベントに基づく別のトリガを定義することもできる。
【００２２】
ＤＲＸレベル１  ３０２状態におけるＷＴＲＵ１１０がＲＢ再構成コマンドを受信した場合、現在のＤＲＸレベル１状態が終了する。ＤＲＸレベル１状態３０２でＷＴＲＵ１１０は、定義された「再開期間」についての予想されるコマンドを受信していない場合、その元のＤＲＸ状態に戻り、省力化ＤＲＸサイクルを再開することができる。ＤＲＸモードの間に通常のタイマおよびカウンタを使用して、黙示的なＤＲＸサイクル長の移行をトリガすることができる。タイマとカウンタとの間の選択、およびタイマまたはカウンタの値は、ＷＴＲＵ１１０がＬＴＥ＿ＡＣＴＩＶＥ  ＤＲＸモードにある間、特定の間にＷＴＲＵ１１０のモビリティおよび／またはサービス状態に関して学習されたトラフィックパターンおよびモデルに基づくことができる。タイマまたはカウンタのトリガを、移行トリガとして使用して、ＤＲＸ状態が変わるにつれて、ＤＲＸサイクル長を増大することも、減少することもできる。
【００２３】
ｅＮＢ１２０は、ネットワークトラフィック監視動作および分析に基づいて、ＤＲＸパラメータを構成することができる。黙示的なＤＲＸ移行動作のために定義されるデフォルトのシステム値の組を含めることによるなど、パラメータ値を選択するためのいくつかの方法が存在する。任意選択で、パラメータは、システム情報ブロードキャストの中で公開されたり、またはそのときそのときでｅＮＢ１２０によって決定され、および、目的のＤＲＸモード期間より前に、上位層のシグナリングを介して、特定のＷＴＲＵ１１０へロードされたりすることができる。
【００２４】
異なる状態間の移行は、情報エレメント（ｉｎｆｏｒｍａｔｉｏｎ  ｅｌｅｍｅｎｔ）でシグナルすることができる。黙示的なＤＲＸサイクルの移行をシグナルするための骨組みの一例が表１に示されている。表１に示されるように、黙示的なＤＲＸ移行リストは、必須であり、最大数のＤＲＸ状態を示す値に制限される。
【００２５】
ＤＲＸサイクル長ＩＥは必須であり、整数である。トリガメカニズムは、任意選択であり、ＤＲＸ状態レベルを上げる、またはＤＲＸ状態レベルを下げるためのトリガとすることができる。黙示的なＤＲＸ移行構成の寿命ＩＥは、必須であり、非通常状態の再開期間を設定する。初期ＤＲＸ状態は、任意選択であり、起動時にＷＴＲＵ１１０のＤＲＸ状態を設定することができる。
【００２６】
より容易なＤＲＸサイクル長の移行で助け、ＷＴＲＵ１１０とｅＮＢ１２０との間のＤＲＸサイクル長の同期を維持するために、ＤＲＸサイクル長の定義を、最短のＤＲＸ基本数（Ｌ）の関数として与えることができる。それで、様々なＤＲＸ長の値は、
ＤＲＸ−ｃｙｃｌｅ−ｌｅｎ＝Ｌ×２n                                  式（１）
とすることができ、ここで、ｎ＝０，１，２，．．．であり、結果として得られたＤＲＸ−ｃｙｃｌｅ−ｌｅｎが最大ＤＲＸサイクル長を超えないようにする。可能な最短のＤＲＸサイクル長は、ｎ＝０のときに起こり、より長いＤＲＸサイクル長のほんの何分の１かである。
【００２７】
互いの倍数であるＤＲＸサイクル長の使用は、ＤＲＸ期間が一致しない可能性を低減し、ＷＴＲＵ１１０とｅＮＢ１２０との間のＤＲＸ期間を再同期する効率的なメカニズムを提供する。ＤＲＸ期間が互いの倍数として定義され、ＤＲＸ期間がＷＴＲＵ１１０とｅＮＢ１２０との間で一致しなくなると、各エンティティは、サイクル長を増減して、他のエンティティによって使用される期間を決定し、それに応じてエンティティを再同期することによって、他方の期間を決定することができる。
【００２８】
典型的には、ＤＲＸレベル１  ３０２のＷＴＲＵ１１０は、元のＤＲＸ状態に戻る前にｎ回カウントすることができる。デフォルトは、ｎ＝（レベル−ｋ  ＤＲＸサイクル長または元のＤＲＸサイクル長）／レベル−１  ＤＲＸサイクル長のように与えることができ、ここで、レベル−ｋサイクル長は、ＷＴＲＵ１１０がＤＲＸレベル１  ３０２に入る前のＤＲＸサイクル長である。あるいは、ネットワークは、「再開方法」についてのｎを構成することができる。
【００２９】
【表１】
2014079027.tif 000003
【００３０】
状態から状態への移行は、トリガによって開始することができる。表２は、移行トリガＩＥの一例を示す。ＩＥの各々は、再開期間を除いて必須である。移行トリガは、必須であり、表１に示されるように指定されている場合、ネットワークによって指定される。ＣＨＯＩＣＥメカニズムにより、ネットワークが黙示的なＤＲＸ操作のトリガのためにＷＴＲＵ１１０を構成できるようになる。トリガタイマ値は、絶対時間、ＬＴＥフレームまたは送信時間間隔（ＴＴＩ）の単位とすることができ、ＷＴＲＵ１１０についてのネットワークシグナリングチャネルアクティビティまたはデータチャネルアクティビティのＯＮおよびＯＦＦの期間を監視し、または規制するために使用される。カウンタ値は、いくつかのトリガイベントの発生をチェックするために使用される整数値とすることができる。測定イベントは、トリガをもたらすイベントを列挙することができる。再開期間は、秒単位で与えられる時間期間、ＤＲＸサイクル、または通常状態に戻る旨のコマンドを受け取ることなく、ＷＴＲＵ１１０が上昇した状態のままでいることができる合計時間を示す他の何らかの値とすることができる。
【００３１】
【表２】
2014079027.tif 000004
【００３２】
図４は、一実施形態による黙示的なＤＲＸの移行４００のシグナルフロー図である。ＷＴＲＵ４０２は、ＤＲＸモードに入るようＷＴＲＵ４０２をトリガするＥ−ＵＴＲＡＮ４０４からのＲＲＣメッセージまたはＩＥ４０６を受信することができる。ＷＴＲＵ４０２は、通常のサイクル長ＤＲＸレベル３（図３の３０６）とすることができるデフォルトレベルのＤＲＸモードに入ることができる４０８。ＷＴＲＵ４０２およびＥ−ＵＴＲＡＢ４０４の両方がＤＲＸモードに入る（それぞれ４０８、４１０）。ＷＴＲＵ４０２は、高速のＤＲＸサイクルモード（図３のＤＲＸレベル１  ３０２）に入れるようＷＴＲＵ４０２をトリガする別のＲＲＣメッセージまたはＩＥ４１２を受信することができる。ＷＴＲＵ４０２およびＥ−ＵＴＲＡＮ４０４は、ＤＲＸレベル１に入る（それぞれ４１４、４１６）。Ｅ−ＵＴＲＡＮタイマ（図示せず）と同期されているＷＴＲＵタイマ４１８は、満了する。タイマが同期されているので、タイマの満了の通知は不要である。タイマの満了４１８により、ＷＴＲＵ４０２およびＥ−ＵＴＲＡＮ４０４がトリガされて通常のＤＲＸレベルに戻る。ＷＴＲＵ４０２は、Ｅ−ＵＴＲＡＮ４０４は、４２４でＤＲＸレベル−３  ３０６に戻る４２４と同時にＤＲＸレベル−３  ３０６に戻る４２２。
【００３３】
図５は、一実施形態による黙示的なシグナリング５００の方法のフロー図である。ステップ５０２で、ＷＴＲＵは、通常の動作モード、すなわちレベル−３である。ステップ５０４で、ＷＴＲＵは、タイマがタイムアウトしたか、または別のＤＲＸ状態に移動するようＷＴＲＵに強制するであろうトリガが受信されたかをチェックする。Ｎｏである場合、ステップ５０６で、ＷＴＲＵは、通常状態のままである。ＷＴＲＵがステップ５０４でタイムアウト信号またはトリガを検出した場合、ステップ５０８で、ＷＴＲＵは、ＤＲＸレベル１に移動すべきか、ＤＲＸレベル２に移動すべきかを判定する。ＷＴＲＵは、トリガがレベル−２トリガであると判定した場合、ステップ５１０で、ＷＴＲＵはＤＲＸレベル２に移動する。ステップ５１２で、ＷＴＲＵは、再開期間が終了したことを判定し、ＤＲＸレベル−３に戻る。しかし、ＷＴＲＵは、ステップ５０８で、レベル１のトリガを受信したと判定した場合、ステップ５１４で、ＷＴＲＵはＤＲＸレベル１に入る。ステップ５１６で、ＷＴＲＵは、無線ベアラ再構成メッセージを受信したかどうかを判定する。受信していない場合、ＷＴＲＵは、ステップ５１８で、再開期間が終了するのを待ち、ステップ５２２で通常動作に戻る。しかし、ＷＴＲＵは、ステップ５１８で、無線ベアラ再構成メッセージを受信した場合、ＷＴＲＵは、ステップ５２０で、通常ＤＲＸサイクル動作に戻る。
【００３４】
図６は、別の実施形態による黙示的なＤＲＸ方法６００のフロー図である。ステップ６０２で、ＷＴＲＵは、通常、すなわちＤＲＸレベル−３モードにある。ステップ６０４で、ＷＴＲＵは、トラフィックボリューム測定を行う。ステップ６０６で、ＷＴＲＵは、トラフィックボリューム測定を閾値と比較する。ボリュームが閾値未満である場合、ステップ６０８で、ＷＴＲＵは、アクションを起こさず、ＤＲＸレベル−３モードのままである。しかし、ステップ６０６で、ＷＴＲＵは、トラフィックが閾値を上回ると判定した場合、ステップ６１０で、ＷＴＲＵはモードをより短いＤＲＸサイクルに変更する。トラフィックに基づいて、新しいＤＲＸモードは、ＤＲＸレベル−２またはＤＲＸレベル−１とすることができる。ステップ６１２で、ＷＴＲＵは、コマンドまたはメッセージが受信されたかどうかを判定する。Ｙｅｓである場合、ステップ６１４で、ＷＴＲＵは、レベル−３モードに戻る。そうでない場合、ＷＴＲＵは、ステップ６１８でレベル−３モードに戻る前にステップ６１６で再開期間を待つ。任意選択で、Ｅ−ＵＴＲＡＮは、ＤＲＸ状態移行トリガのためのトラフィックボリューム測定報告閾値レベルを判定することができる。定義されたトラフィックボリューム測定イベントがいったん生じると、ＤＲＸ状態移行がトリガされる。
【００３５】
ＬＴＥ＿ＡＣＴＩＶＥ  ＤＲＸモードの間、ＷＴＲＵは、アップリンクトラフィックのトラフィックボリューム測定を行うことができる。Ｅ−ＵＴＲＡＮは、閾値を越えるとイベントを報告するようＷＴＲＵを構成することができる。学習されたトラフィックパターンに基づいて、Ｅ−ＵＴＲＡＮは、大きいボリューム変化があることを判定し、このことは、ＲＢ追加、ＲＢ再構成、またはＲＢリリースコマンドが差し迫っていることを意味することができる。したがって、トラフィックボリュームイベント報告は、黙示的なＤＲＸ移行トリガとして使用することができる。例えば、ネットワークコマンドを受信するために、大きいボリューム変化を使用して、ＷＴＲＵを最短のＤＲＸサイクル（例えば、図３のＤＲＸ  レベル１  ３０２）にトリガすることができる。ネットワークは、所定の測定イベントを受信すると、黙示的なＤＲＸ移行ルールを介してＷＴＲＵのＤＲＸ状態を判定することができ、予想されるコマンドをＷＴＲＵに送信するか、指定された「再開期間」で、ＷＴＲＵがその前のＤＲＸ状態に戻るのを待つ。
【００３６】
別の例によれば、ＷＴＲＵは、ＬＴＥ＿ＡＣＴＩＶＥモードの間、構成されたハンドオーバー測定値を使用することができる。いくつかの測定イベント報告は、周波数内、周波数間、または無線アクセス技術間（ＲＡＴ）のハンドオーバーについて、ハンドオーバー（ＨＯ）コマンドが差し迫っていることを示すことができる。ハンドオーバー測定イベントに依存して、いくつかの他の測定イベントは、ＤＲＸ移行制御のトリガとして働き得る。図７は、代替の実施形態による黙示的なＤＲＸシグナリング７００の方法のフロー図である。ステップ７０２で、ＷＴＲＵは、通常のＤＲＸレベル３状態にある。ステップ７０４で、ＷＴＲＵは、サービス提供セルの測定値が閾値未満であると判定する。ＷＴＲＵは次いで、周波数内測定値が高いと判定することができ７０６、これは、周波数内の近隣が最良のセルとして測定していることを意味する。あるいは、ＷＴＲＵは、周波数間帯域が最良となるように測定することを判定することができる７０８。別の代替として、ＷＴＲＵは、非ＬＴＥシステムが最良と測定することを判定することができる。
【００３７】
ステップ７１２で、ＷＴＲＵは、測定値に起因して、ハンドオーバーコマンドを予想することができる。ステップ７１４で、ＷＴＲＵは、測定イベントを報告する。これは、ステップ７１６で、ネットワークからの可能なハンドオーバーコマンドを受信するために、ＷＴＲＵをレベル−１ＤＲＸ状態に進ませる黙示的なＤＲＸ移行トリガを呼び出すことができる。ステップ７１８で、ＷＴＲＵは、ハンドオーバーコマンドを受信する。ステップ７２０で、ＷＴＲＵは、その元のＤＲＸ状態に移行する。
【００３８】
図８は、さらに別の実施形態による黙示的なＤＲＸサイクルシグナリング８００の方法のフロー図である。ステップ８０２で、ＷＴＲＵは、レベル−１モードである。ステップ８０４で、ＷＴＲＵは、レベル１／レベル２の制御チャネルの監視を始めて、予想されるダウンリンクコマンドをインターセプトする。ステップ８０６で、ＷＴＲＵは、予想されるネットワークコマンドが受信されたかどうかを判定する。受信された場合、ステップ８０８で、ＷＴＲＵは、コマンドに従ってＤＲＸモードを終了するか、次のＤＲＸアクティビティに関する命令をコマンドで受信する。コマンドが受信されない場合、ステップ８１０で、ＷＴＲＵは、レベル−１状態に入る前にその元のＤＲＸ状態に移行する。
【００３９】
実施形態
１．無線送受信ユニット（ＷＴＲＵ）において不連続受信（ＤＲＸ）を制御するための方法であって、複数のＤＲＸレベルを定義することであって、各ＤＲＸレベルがそれぞれのＤＲＸサイクル長を含むことを備える方法。
２．１組の基準に基づいてＤＲＸレベル間を移行することをさらに備える実施形態１に記載の方法。
３．１組の基準は、事前に定義されている実施形態２に記載の方法。
４．１組の基準は、ＷＴＲＵによって検出されたイベントに基づく実施形態２に記載の方法。
５．１組の基準は、ＷＴＲＵによって受信された明示的な信号に基づく実施形態２に記載の方法。
６．１組の基準は、動的に定義される実施形態２または３に記載の方法。
７．複数のＤＲＸレベル間の移行は、学習されたトラフィックパターンに基づく実施形態２〜６のいずれか１つに記載の方法。
８．複数のＤＲＸレベル間の移行は、測定されたイベントに基づく実施形態２〜６のいずれか１つに記載の方法。
９．３つのＤＲＸレベルを定義することをさらに備える実施形態１〜８のいずれか１つに記載の方法。
１０．２つのＤＲＸレベルを定義することをさらに備える実施形態１〜９のいずれか１つに記載の方法。
１１．それぞれの各ＤＲＸサイクル長は、最短のＣＲＸサイクル長の関数である実施形態１〜１０のいずれか１つに記載の方法。
１２．それぞれの各ＤＲＸサイクル長は、最大のＤＲＸサイクル長未満である実施形態１１に記載の方法。
１３．それぞれの各サイクル長は、基本のサイクル長の倍数である実施形態１〜１２のいずれか１つに記載の方法。
１４．ＷＴＲＵがＤＲＸサイクル長をｅＮｏｄｅＢ（ｅＮＢ）と同期することをさらに備える実施形態１〜１３のいずれか１つに記載の方法。
１５．同期が失われると、ＷＴＲＵがＤＲＸサイクル長を増大することをさらに備える実施形態１４に記載の方法。
１６．ＷＴＲＵがｅＮＢと同期されるまで、ＷＴＲＵがＤＲＸサイクル長を増大することをさらに備える実施形態１５に記載の方法。
１７．同期が失われると、ＷＴＲＵがＤＲＸサイクル長を減少することをさらに備える実施形態１４に記載の方法。
１８．ＷＴＵがｅＮＢと同期されるまで、ＷＴＲＵがＤＲＸサイクル長を減少することをさらに備える実施形態１７に記載の方法。
１９．ＤＲＸ寿命を定義することと、ＤＲＸ寿命ごとに一度、複数のＤＲＸレベルのＤＲＸサイクル長を再定義することとをさらに備える実施形態１〜１８のいずれか１つに記載の方法。
２０．ＷＴＲＵのＤＲＸレベルを、より短いＤＲＸサイクル長を有するＤＲＸレベルに定期的に変更することをさらに備える実施形態２〜１９のいずれか１つに記載の方法。
２１．トリガに基づいてＤＲＸレベルを変更することをさらに備える実施形態２〜２０のいずれか１つに記載の方法。
２２．トリガは、タイマの満了である実施形態２１に記載の方法。
２３．送信アクティビティにより、タイマをリセットすることをさらに備える実施形態２２に記載の方法。
２４．トリガは、トラフィックイベントである実施形態２１に記載の方法。
２５．トラフィックイベントは、送信である実施形態２４に記載の方法。
２６．トリガは、無線ベアラ再構成要求である実施形態２１に記載の方法。
２７．学習されたトラフィックパターンに基づいてＤＲＸレベルを定期的に変更することをさらに備える実施形態２〜２０のいずれか１つに記載の方法。
２８．ＷＴＲＵでトラフィックボリュームを測定することと、測定されたトラフィックボリュームに基づいて複数のＤＲＸレベルのＤＲＸサイクルレベルを調整することとをさらに備える実施形態１〜２７のいずれか１つに記載の方法。
２９．トラフィックボリュームが所定の閾値を上回るとき、ＤＲＸサイクル長を短くすることと、トラフィックボリュームが所定の閾値を下回るとき、ＤＲＸサイクル長を長くすることとをさらに備える実施形態２８に記載の方法。
３０．測定されたトラフィックボリュームが所定の閾値を超えるとき、無線ベアラを追加することをさらに備える実施形態２７に記載の方法。
３１．ＤＲＸサイクル長を調整すると、再開期間タイマを設定することと、再開期間タイマが満了になると、ＤＲＸサイクル長を元の値に戻すこととをさらに備える実施形態１〜３０のいずれか１つに記載の方法。
３２．ハンドオーバー測定値に基づいてＷＴＲＵのＤＲＸレベルを変更することをさらに備える実施形態１〜２１のいずれか１つに記載の方法。
３３．サービス提供セルの測定値が所定の閾値未満であるとき、ＷＴＲＵのＤＲＸレベルを変更することをさらに備える実施形態３２に記載の方法。
３４．周波数内近隣セルの測定値が閾値を上回るとき、ＷＴＲＵのＤＲＸレベルを変更することをさらに備える実施形態３３に記載の方法。
３５．周波数間近隣セルの測定値が閾値を上回るとき、ＷＴＲＵのＤＲＸレベルを変更することをさらに備える実施形態３４に記載の方法。
３６．無線アクセス技術間（ＲＡＴ）近隣測定値が閾値を上回るとき、ＷＴＲＵのＤＲＸレベルを変更することをさらに備える実施形態３４に記載の方法。
３７．ＷＴＲＵでダウンリンクコマンドを受信することと、ダウンリンクコマンドのタイプに基づいて、ＤＲＸレベルを変更することとをさらに備える実施形態１〜３６のいずれか１つに記載の方法。
３８．複数のＤＲＸレベルを定義するように構成されたプロセッサであって、各ＤＲＸレベルがそれぞれのＤＲＸサイクル長を含むプロセッサを備えた無線送受信ユニット（ＷＴＲＵ）。
３９．プロセッサは、１組の基準に基づいて、ＷＴＲＵをＤＲＸレベル間で移行するようにさらに構成された実施形態３８に記載のＷＴＲＵ。
４０．プロセッサは、ＷＴＲＵのＤＲＸレベルをより短いＤＲＸサイクル長に定期的に変更するようにさらに構成された実施形態３８または３９に記載のＷＴＲＵ。
４１．プロセッサは、トリガに基づいて、ＷＴＲＵをＤＲＸレベル間で移行するようにさらに構成された実施形態３８〜４０のいずれか１つに記載のＷＴＲＵ。
４２．トリガは、測定イベントを備えた実施形態４１に記載のＷＴＲＵ。
４３．トリガは、タイマを備えた実施形態４１に記載のＷＴＲＵ。
４４．トリガは、カウンタを備えた実施形態４１に記載のＷＴＲＵ。
４５．トリガは、ダウンリンクコマンドを備えた実施形態４１に記載のＷＴＲＵ。
【００４０】
特徴および要素が実施形態において特定の組合せで記載されているが、各特徴または要素は、他の特徴および要素なしに単独で、または他の特徴および要素の有無にかかわらず様々な組合せで使用することができる。提供された方法またはフロー図は、汎用コンピュータまたはプロセッサによる実行のために、コンピュータ可読記憶媒体に具体的に組み込まれるコンピュータプログラム、ソフトウェア、またはファームウェアにおいて実装することができる。コンピュータ可読記憶媒体の例には、読み取り専用メモリ（ＲＯＭ）、ランダムアクセスメモリ（ＲＡＭ）、レジスタ、キャッシュメモリ、半導体メモリ素子、内蔵ハードディスクおよび取外し可能ディスクなどの磁気媒体、光磁気媒体、ならびにＣＤ−ＲＯＭディスクおよびデジタル多目的ディスク（ＤＶＤ）などの光媒体などが含まれる。
【００４１】
適したプロセッサには、例として、汎用プロセッサ、特定用途のプロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）および／またはステートマシンが含まれる。
【００４２】
ソフトウェアと関連するプロセッサは、無線送受信ユニット（ＷＴＲＵ）、ユーザ機器（ＵＥ）、端末、基地局、無線ネットワークコントローラ（ＲＮＣ）、または任意のホストコンピュータでの使用のために無線周波数トランシーバを実装するために使用することができる。ＷＴＲＵは、カメラ、ビデオカメラモジュール、テレビ電話、スピーカフォン、振動デバイス、スピーカ、マイクロフォン、テレビ送受信機、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）モジュールなど、ハードウェアおよび／またはソフトウェアに実装されるモジュールと共に使用することができる。
【産業上の利用可能性】
【００４３】
本発明は、一般的に無線通信システムに利用することができる。
【符号の説明】
【００４４】
１１０  ＷＴＲＵ
１２０  ｅノードＢ
２１５、２２５  プロセッサ
２１６、２２６  受信機
２１７、２２７  送信機
２１８、２２８  アンテナ  
【図１】
2014079027.tif 000005
【図２】
2014079027.tif 000006
【図３】
2014079027.tif 000007
【図４】
2014079027.tif 000008
【図５】
2014079027.tif 000009
【図６】
2014079027.tif 000010
【図７】
2014079027.tif 000011
【図８】
2014079027.tif 000012
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）において不連続受信（ＤＲＸ）を制御する方法において、
前記ＷＴＲＵが、複数のＤＲＸサイクル長を含むＤＲＸ構成を受信するステップと、
前記ＷＴＲＵが、前記複数のＤＲＸサイクル長のより短いＤＲＸサイクル長を使用してＤＲＸを実行するステップと、
前記ＷＴＲＵが、前記より短いＤＲＸサイクル長を使用してＤＲＸ動作を開始するとすぐに、ＷＴＲＵタイマを設定するステップであって、前記ＷＴＲＵタイマは、前記ＷＴＲＵが前記複数のＤＲＸサイクル長のより長いＤＲＸサイクル長へ移行するのに先立って、その間に前記より短いＤＲＸサイクル長を使用してＤＲＸを実行する時間の長さに関連付けられている、設定するステップと、
前記ＷＴＲＵが、前記ＷＴＲＵタイマが満了したことを決定するステップと、
前記ＷＴＲＵが、前記ＷＴＲＵタイマが満了したことを決定するのに応答して、前記より短いＤＲＸサイクル長を使用したＤＲＸ動作から、前記複数のＤＲＸサイクル長の前記より長いＤＲＸサイクル長を使用したＤＲＸ動作へ移行するステップと
を備えることを特徴とする方法。
【請求項２】
前記ＷＴＲＵタイマは、基地局タイマと同期していることを特徴とする請求項１に記載の方法。
【請求項３】
前記ＷＴＲＵタイマに対する値は、ｅノードＢ（ｅＮＢ）から前記ＷＴＲＵへ送られることを特徴とする請求項１に記載の方法。
【請求項４】
前記ＷＴＲＵタイマの満了は、新しい送信が受信されなかった場合に、前記より短いＤＲＸサイクル長を使用したＤＲＸの実行から、前記より長いＤＲＸサイクル長を使用したＤＲＸの実行へ前記ＷＴＲＵを移行させる黙示的な移行トリガであることを特徴とする請求項１に記載の方法。
【請求項５】
前記ＤＲＸ構成は、高位レイヤシグナリングを経由して、基地局から受信されること特徴とする請求項１に記載の方法。
【請求項６】
前記より長いＤＲＸサイクル長は、前記より短いＤＲＸサイクル長の倍数であることを特徴とする請求項１に記載の方法。
【請求項７】
前記ＷＴＲＵタイマは、カウンタとして実装されることを特徴とする請求項１に記載の方法。
【請求項８】
無線送受信ユニット（ＷＴＲＵ）において、
複数の不連続受信（ＤＲＸ）サイクル長を含むＤＲＸ構成を受信し、
前記複数のＤＲＸサイクル長のより短いＤＲＸサイクル長を使用してＤＲＸを実行し、
前記より短いＤＲＸサイクル長を使用してＤＲＸ動作を開始するとすぐに、ＷＴＲＵタイマを設定し、前記ＷＴＲＵタイマは、その間に前記ＷＴＵが前記より短いＤＲＸサイクル長を使用してＤＲＸを実行するよう構成された時間の長さに関連付けられており、前記時間の長さの間に新しい送信が受信されなかった場合に、前記ＷＴＲＵは前記複数のＤＲＸサイクル長のより長いＤＲＸサイクル長へ移行するよう構成されており、
前記ＷＴＲＵタイマが満了したことを決定し、および、
前記ＷＴＲＵタイマが満了したことを決定するのに応答して、前記より短いＤＲＸサイクル長を使用したＤＲＸ動作から、前記複数のＤＲＸサイクル長の前記より長いＤＲＸサイクル長を使用したＤＲＸ動作へ前記ＷＴＲＵを移行させる
よう構成されたプロセッサ
を備えたことを特徴とするＷＴＲＵ。
【請求項９】
前記ＷＴＲＵタイマは、基地局タイマと同期していることを特徴とする請求項８に記載のＷＴＲＵ。
【請求項１０】
前記プロセッサは、前記より短いＤＲＸサイクル長を使用するＤＲＸを実行するのに先立って、前記より長いＤＲＸサイクル長を使用してＤＲＸを実行するようさらに構成されたことを特徴とする請求項８に記載のＷＴＲＵ。
【請求項１１】
前記複数のＤＲＸサイクル長の各々は、前記より短いＤＲＸサイクル長の倍数であることを特徴とする請求項８に記載のＷＴＲＵ。
【請求項１２】
前記プロセッサは、送信活動があるとすぐに、前記ＷＴＲＵタイマを設定するようさらに構成されたことを特徴とする請求項８に記載のＷＴＲＵ。
【請求項１３】
前記ＷＴＲＵタイマの満了は、新しい送信が受信されなかった場合に、前記ＷＴＲＵを、前記より短いＤＲＸサイクル長を使用したＤＲＸを実行することから、前記より長いＤＲＸサイクル長を使用したＤＲＸを実行することへ移行させる黙示的な移行トリガであることを特徴とする請求項８に記載のＷＴＲＵ。
【請求項１４】
前記プロセッサは、前記ＷＴＲＵに前記より短いＤＲＸサイクル長から、前記より長いＤＲＸサイクル長へ移行するよう指令するｅノードＢ（ｅＮＢ）からの明示的な表示を受信することなしに、前記ＷＴＲＵを前記より短いＤＲＸサイクル長を使用した動作から、前記複数のＤＲＸサイクル長の前記より長いＤＲＸサイクル長を使用した動作へ移行させるようさらに構成されたことを特徴とする請求項８に記載のＷＴＲＵ。
【請求項１５】
前記ＷＴＲＵタイマは、カウンタとして実装されることを特徴とする請求項８に記載のＷＴＲＵ。
【請求項１６】
ｅノードＢ（ｅＮＢ）において、
複数の不連続受信（ＤＲＸ）サイクル長を含むＤＲＸ構成を、無線送受信ユニット（ＷＴＲＵ）へ送り、
前記複数のＤＲＸサイクル長のより短いＤＲＸサイクル長を使用して前記ＷＴＲＵがＤＲＸ動作を開始したことを決定し、
前記より短いＤＲＸサイクル長を使用してＤＲＸ動作を開始することを決定するとすぐに、基地局タイマを設定し、前記基地局タイマは、前記ＷＴＲＵにおいてＤＲＸサイクル長移行のために使用されるＷＴＲＵタイマと同期しており、および、その間に前記ＷＴＲＵが前記より短いＤＲＸサイクル長を使用してＤＲＸを実行する時間の長さに関連付けられており、
前記基地局タイマが満了したことを決定し、および、
前記基地局タイマが満了したことを決定するのに応答して、前記より短いＤＲＸサイクル長を使用したＤＲＸ動作から、前記複数のＤＲＸサイクル長のより長いＤＲＸサイクル長を使用したＤＲＸ動作へ前記ＷＴＲＵが移行したことを決定する
よう構成されたプロセッサ
を備えたことを特徴とするｅＮＢ。
【請求項１７】
前記ｅＮＢは、前記ＷＴＲＵに前記より短いＤＲＸサイクル長から、前記より長いＤＲＸサイクル長へ移行するよう指令する明示的な表示を前記ＷＴＲＵへ送らないことを特徴とする請求項１６に記載のｅＮＢ。
【請求項１８】
前記基地局タイマは、カウンタとして実装されることを特徴とする請求項１６に記載のｅＮＢ。